(57)【要約】【課題】室外機のメーカや、室外機の品番・型番が異なっても、対応可能な汎用的な防雪フードを提供する。【解決手段】室外機の空気流通口が雪によって塞がれるのを防止する防雪フードと、前記室外機と前記防雪フードとの間に配置される矩形の防雪フード用アタッチメントとからなる汎用防雪フードであり、前記防雪フード用アタッチメントには、前記室外機に前記防雪フードを固着するための前記防雪フードの取り付け部１に設けられた挿嵌部１に嵌合する貫通具１が貫通する貫通孔１と、前記取り付け部１と接し防雪フードを固着するための室外機の取り付け部２に設けられた挿嵌部２に嵌合する貫通具２が貫通する貫通孔２とを設ける。これにより、室外機の機種により防雪フードを固定する穴の位置や形状が異なっても、同一の防雪フードを取り付けることができる。【選択図】図３
0003174004.tif 000002
【実用新案登録請求の範囲】
【請求項１】
室外機に固着するための防雪フードの取り付け部１と、前記取り付け部１と接し防雪フードを固着するための室外機の取り付け部２との間に配置される防雪フード用アタッチメントであって、
前記取り付け部１に設けられた挿嵌部１に嵌合する貫通具１が貫通する貫通孔１と、
前記取り付け部２に設けられた挿嵌部２に嵌合する貫通具２が貫通する貫通孔２
とを備えたことを特徴とする防雪フード用アタッチメント。
【請求項２】
前記貫通具１はボルトであり、前記貫通具２はネジであることを特徴とする請求項１に記載の防雪フード用アタッチメント。
【請求項３】
前記挿嵌部１は、少なくとも前記ボルトが貫通する前記取付部１に設けられた貫通孔３であり、前記挿嵌部２は、前記取付部２に設けられた前記ネジのネジ穴であることを特徴とする請求項１に記載の防雪フード用アタッチメント。
【請求項４】
前記取り付け部１と類似形状の所定厚の平板であり、前記貫通孔１及び／又は前記貫通孔２は、前記貫通具１が前記挿嵌部１に嵌合し、前記貫通具２が前記挿嵌部２に嵌合した際に、前記貫通具１及び／又は前記貫通具２の頂部が突出しないよう成形されていることを特徴とする請求項１から３のいずれかに記載の防雪フード用アタッチメント。
【請求項５】
断面コ字形状で、矩形板状の本体部と、この本体部の上下において平行に延びる矩形板状の側板部とを有し、前記側板部には前記貫通孔１又は前記貫通穴２のいずれかが設けられていることを特徴とする請求項１から３のいずれかに記載の防雪フード用アタッチメント。
【請求項６】
断面I字形状で、矩形板状の本体部と、この本体部の上下において平行に延びる矩形板状の側板部とを有し、前記側板部には前記貫通孔１又は前記貫通穴２のいずれかが設けられていることを特徴とする請求項１から３のいずれかに記載の防雪フード用アタッチメント。
【請求項７】
室外機の空気流通口が雪によって塞がれるのを防止する防雪フードと、
前記室外機と前記防雪フードとの間に配置される矩形の防雪フード用アタッチメントとを備えた汎用防雪フードであって、
前記防雪フード用アタッチメントは、前記室外機に前記防雪フードを固着するための前記防雪フードの取り付け部１に設けられた挿嵌部１に嵌合する貫通具１が貫通する貫通孔１と、
前記取り付け部１と接し防雪フードを固着するための室外機の取り付け部２に設けられた挿嵌部２に嵌合する貫通具２が貫通する貫通孔２
とを備えたことを特徴とする汎用防雪フード。
【請求項８】
天板にスライド機構を設け、室外機の寸法に応じて、その幅及び／又は長さが調整可能であることを特徴とする請求項７に記載の汎用防雪フード。  
【請求項９】
前記貫通具１はボルトであり、前記貫通具２はネジであることを特徴とする請求項７又は８に記載の汎用防雪フード。
【請求項１０】
前記挿嵌部１は、前記ボルトが貫通する貫通孔３であり、前記挿嵌部２は前記ネジのネジ穴であることを特徴とする請求項７から９のいずれかに記載の汎用防雪フード。
【請求項１１】
前記防雪フード用アタッチメントは、前記取り付け部１と類似形状の所定厚の平板であり、前記貫通孔１及び／又は前記貫通孔２は、前記貫通具１が前記挿嵌部１に嵌合し、前記貫通具２が前記挿嵌部２に嵌合した際に、前記貫通具１及び／又は前記貫通具２の頂部が突出しないよう成形されていることを特徴とする請求項７から１０のいずれかに記載の汎用防雪フード。
【請求項１２】
前記防雪フード用アタッチメントは、断面コ字形状で、矩形板状の本体部と、この本体部の上下において平行に延びる矩形板状の側板部とを有し、前記側板部には前記貫通孔１又は前記貫通穴２のいずれかが設けられていることを特徴とする請求項７から１０のいずれかに記載の汎用防雪フード。
【請求項１３】
前記防雪フード用アタッチメントは、断面I字形状で、矩形板状の本体部と、この本体部の上下において平行に延びる矩形板状の側板部とを有し、前記側板部には前記貫通孔１又は前記貫通穴２のいずれかが設けられていることを特徴とする請求項７から１０のいずれかに記載の汎用防雪フード。
【請求項１４】
請求項７から１３のいずれかに記載の汎用防雪フードを備えたことを特徴とする室外機。
【考案の詳細な説明】
【技術分野】
【０００１】
本考案は、降雪地域において室外機を屋外に設置する際に、室外機の吹き出し口・吸込み口へ雪が入るのを防止するための防雪フードに関し、特に、メーカの仕様・規格の異なる室外機に、汎用防雪フードをもって適用可能とする防雪フード用アタッチメントに関する。
【背景技術】
【０００２】
寒冷地域など雪の吹付けが激しい屋外に空調機等の室外機を設置する場合、室外機の吹き出し口・吸込み口が雪によって塞がれたり、目詰まりを起こしたりすると、室外機の出力が低下し機能しなくなる。そのため降雪地域に設置される室外機には防雪フードを設け、室外機に雪が入り込まないように保護している。
一方、室外機はメーカや出力・型式等により、防雪フードの取り付け位置が異なる。そのため、メーカや機種毎に防雪フードを用意しなければならない。その結果、防雪フードの生産コストが上がり、また、管理に手間がかかる、という課題がある。
【０００３】
かかる課題を解決するため、特許文献１は次のような技術を開示している。特許文献１の図１は、側面防雪フードを備えた室外機の斜視図であり、室外機に対して防雪フード本体の位置を調節することができるように構成されている。より具体的には、室外機１の側面側の吹き出し口・吸込み口１Ａと対向する位置に、側面フード本体２Ａと側面フード支柱４とを有する側面防雪フード２が取付けられている。側面フード支柱４には、室外機１の側面側の吸込み口・吹き出し口１Ａの位置に合わせて側面フード本体２Ａの位置を変えることができるように長穴が設けられている。また、側面フード本体２Ａには、側面フード本体２Ａを側面フード支柱４に取り付けるためのネジ穴が設けられている。
【０００４】
特許文献１に記載の技術によれば、容易にフード本体の取り付け位置を室外機の吹き出し口・吸込み口の位置に合わせることができる。これにより、室外機の大きさに合わせた防雪フードを準備する必要がない。しかし、そのような効果が得られるのは、室外機を高置き台に設置する場合に限られ、防雪フードを室外機に直接取り付けるケースには適応できない。これまでのところ、室外機のメーカや出力・型式に依存しない防雪フードは提供されていない。
【先行技術文献】
【特許文献】
【０００５】
【特許文献１】特開２００１−３５５８８０号公報
【考案の概要】
【考案が解決しようとする課題】
【０００６】
そこで本考案の課題は、室外機のメーカや、室外機の品番・型番が異なっても、対応可能な汎用的な防雪フード、防雪フード用アタッチメントを提供することにある。また、それらを備えた室外機を提供することにある。
【課題を解決するための手段】
【０００７】
上記課題を解決するため請求項１に記載の考案は、室外機に固着するための防雪フードの取り付け部１と、前記取り付け部１と接し防雪フードを固着するための室外機の取り付け部２との間に配置される防雪フード用アタッチメントであって、
前記取り付け部１に設けられた挿嵌部１に嵌合する貫通具１が貫通する貫通孔１と、
前記取り付け部２に設けられた挿嵌部２に嵌合する貫通具２が貫通する貫通孔２
とを備えたことを特徴とする防雪フード用アタッチメントである。
【０００８】
請求項２に記載の考案は、請求項１に記載の防雪フード用アタッチメントであって、前記貫通具１はボルトであり、前記貫通具２はネジであることを特徴とする。
請求項３に記載の考案は、請求項１に記載の防雪フード用アタッチメントであって、前記挿嵌部１は、少なくとも前記ボルトが貫通する前記取付部１に設けられた貫通孔３であり、前記挿嵌部２は、前記取付部２に設けられた前記ネジのネジ穴であることを特徴とする。
請求項４に記載の考案は、請求項１から３のいずれかに記載の防雪フード用アタッチメントであって、前記取り付け部１と類似形状の所定厚の平板であり、前記貫通孔１及び／又は前記貫通孔２は、前記貫通具１が前記挿嵌部１に嵌合し、前記貫通具２が前記挿嵌部２に嵌合した際に、前記貫通具１及び／又は前記貫通具２の頂部が突出しないよう成形されていることを特徴とする。
請求項５に記載の考案は、請求項１から３のいずれかに記載の防雪フード用アタッチメントであって、断面コ字形状で、矩形板状の本体部と、この本体部の上下において平行に延びる矩形板状の側板部とを有し、前記側板部には前記貫通孔１又は前記貫通穴２のいずれかが設けられていることを特徴とする。
請求項６に記載の考案は、請求項１から３のいずれかに記載の防雪フード用アタッチメントであって、断面I字形状で、矩形板状の本体部と、この本体部の上下において平行に延びる矩形板状の側板部とを有し、前記側板部には前記貫通孔１又は前記貫通穴２のいずれかが設けられていることを特徴とする。
【０００９】
請求項７に記載の考案は、室外機の空気流通口が雪によって塞がれるのを防止する防雪フードと、前記室外機と前記防雪フードとの間に配置される矩形の防雪フード用アタッチメントとからなる汎用防雪フードであって、前記防雪フード用アタッチメントは、前記室外機に前記防雪フードを固着するための前記防雪フードの取り付け部１に設けられた挿嵌部１に嵌合する貫通具１が貫通する貫通孔１と、前記取り付け部１と接し防雪フードを固着するための室外機の取り付け部２に設けられた挿嵌部２に嵌合する貫通具２が貫通する貫通孔２とを備えたことを特徴とする汎用防雪フードである。
【００１０】
請求項８に記載の考案は、請求項７に記載の汎用防雪フードであって、天板にスライド機構を設け、室外機の寸法に応じて、その幅及び／又は長さが調整可能であることを特徴とする。  
【００１１】
請求項９に記載の考案は、請求項７又は８に記載の汎用防雪フードであって、前記貫通具１はボルトであり、前記貫通具２はネジであることを特徴とする。
請求項１０に記載の考案は、請求項７から９のいずれかに記載の汎用防雪フードであって、前記挿嵌部１は、前記ボルトが貫通する貫通孔３であり、前記挿嵌部２は前記ネジのネジ穴であることを特徴とする。
請求項１１に記載の考案は、請求項７から１０のいずれかに記載の汎用防雪フードであって、前記防雪フード用アタッチメントは、前記取り付け部１と類似形状の所定厚の平板であり、前記貫通孔１及び／又は前記貫通孔２は、前記貫通具１が前記挿嵌部１に嵌合し、前記貫通具２が前記挿嵌部２に嵌合した際に、前記貫通具１及び／又は前記貫通具２の頂部が突出しないよう成形されていることを特徴とする。
請求項１２に記載の考案は、請求項７から１０のいずれかに記載の汎用防雪フードであって、前記防雪フード用アタッチメントは、断面コ字形状で、矩形板状の本体部と、この本体部の上下において平行に延びる矩形板状の側板部とを有し、前記側板部には前記貫通孔１又は前記貫通穴２のいずれかが設けられていることを特徴とする。
請求項１３に記載の考案は、請求項７から１０のいずれかに記載の汎用防雪フードであって、前記防雪フード用アタッチメントは、断面I字形状で、矩形板状の本体部と、この本体部の上下において平行に延びる矩形板状の側板部とを有し、前記側板部には前記貫通孔１又は前記貫通穴２のいずれかが設けられていることを特徴とする。
【００１２】
請求項１４に記載の考案は、請求項７から１３のいずれかに記載の汎用防雪フードを備えたことを特徴とする室外機である。
【考案の効果】
【００１３】
本考案によれば、メーカの異なる室外機であっても、また室外機の品番や型番が異なっても、対応可能な防雪フードを提供することができる。即ち、様々な室外機に対応可能な、汎用的な（標準規格の）防雪フードを提供でき、防雪フードの標準化を図ることができる。また、防雪フードの管理が容易となり、防雪フードの製造コストを低下させることができる。
【図面の簡単な説明】
【００１４】
【図１】本考案の一実施の形態に係る防雪フードを備えた室外機の斜視図である。
【図２】防雪フード用アタッチメントを用いることにより、室外機の機種に関わらず、防雪フードを汎用的（規格品として）用いることができることを説明する図である。
【図３】防雪フード１０が、室外機２０に、防雪フード用アタッチメント３０を介して固定されるときの断面図である。
【図４】防雪フード１０が室外機２０に、防雪フード用アタッチメント３０を介して固定される様子を示した斜視図である。
【図５】断面コ字形状で、矩形板状の本体部と、この本体部の上下において平行に延びる矩形板状の側板部とを有するアタッチメントの斜視図である。
【図６】図５に示す防雪フード用アタッチメントの上面、断面、下面を示した図である。
【図７】図５に示す防雪フード用アタッチメントを室外機に取り付ける様子を示した斜視図である。
【図８】図５に示す防雪フード用アタッチメントを防雪フードに取り付ける様子を示した斜視図である。
【図９】スライド式防雪フードを示した図である。
【考案を実施するための形態】
【００１５】
本考案の一実施の形態について、図面を参照して詳細に説明するが、本考案はこれに限定されるものではない。図１は本考案の一実施の形態である防雪フード１０、室外機２０、そして防雪フード１０を室外機２０に固着させるための防雪フード用アタッチメント４０からなる防雪フード付き室外機１の斜視図である。
【００１６】
図１に示すように防雪フード１０は、防雪フード用アタッチメント４０と固着されており、また、室外機２０も防雪フード用アタッチメント４０に固着されている。即ち、室外機２０と防雪フード１０とは、防雪フード用アタッチメント４０を介して強固に固着されている。防雪フード用アタッチメント４０を用いることにより、室外機２０の品番・型番に関わらず、防雪フード１０を固着することができる。以下、それを詳細に説明する。
【００１７】
図２は防雪フード用アタッチメント３０を用いることにより、室外機の機種に関わらず、標準品の防雪フードを仕様できることを説明する図である。従来は、室外機の製造メーカにより、防雪フードの取り付け位置が異なる室外機２０ａ（Ａ社製）、２０ｂ（Ｂ社製）、２０ｃ（Ｃ社製）には、それに適合する防雪フードをそれぞれ用意していた。
しかし、図２に示すように、Ａ社の室外機のネジ穴２００ａに対応する防雪フード用アタッチメント３０ａを用意することで、防雪フード１０を取り付けることができる。同様に、B社の室外機のネジ穴２００ｂに対応する防雪フード用アタッチメント３０ｂを用意することにより、防雪フード１０を取り付けることができる。さらに、Ｃ社の室外機には防雪フード用アタッチメント３０ｃを用意することで対応することができる。なお、図２のアタッチメント３０ａ、３０ｂ、３０ｃには、防雪フード１０用の取り付け孔（穴）は省略してある。
【００１８】
ここで、室外機２０ａと室外機２０ｂとの防雪フードの取り付け孔（穴）の位置は異なるが、例えば、取り付け用のネジの仕様が同じであり、また、一部の取り付け孔（穴）が同じ位置にある場合には、防雪フード用アタッチメント３０ａｂのように、共通の防雪フード用アタッチメントとすることができる。なお、共通の防雪フード用アタッチメントとするか否かは、取り付け孔（穴）の数や、大きさ等から、その強度等を勘案して決定することが好ましい。
図３は本考案の一実施の形態である防雪フード用アタッチメント３０を介して、防雪フード１０が室外機２０に取り付けられるときの断面を示した図である。図３における防雪フード用アタッチメント３０は、所定の厚みを持った平板であるが、その材質や厚さは、室外機２０が設置される場所の風圧や積雪の荷重等を勘案し、必要な強度が得られるよう強度計算により決定することが好ましい。また、高耐食溶融めっき鋼板や、ステンレス鋼板などの材料を用いることは好適であり、高強度・高剛性の繊維強化樹脂を材料としても良い。
【００１９】
本実施の形態における防雪フード用アタッチメント３０は、室外機２０との固定にネジ３１０を用いている。ネジ３１０を防雪フード用アタッチメント３０に設けられた貫通孔３１１を通して室外機のネジ穴２００にねじ込むことで、室外機２０と固着する。なお、ネジ３１０の頂部が防雪フード用アタッチメント３０の表面から突出しないよう、ネジ貫通孔３１１の開口部入り口を漏斗状に成形することは好ましい。
貫通孔３１１を通して、ネジ３１０が室外機の挿嵌部であるネジ穴２００にねじ込まれる前に、ボルト３２０をワッシャー３２１を介して貫通孔３２２に通しておくことは好ましい。即ち、先ず、防雪フード用アタッチメント３０と室外機２０とをネジ３１０により固着し、次に防雪フード用アタッチメント３０の貫通孔３２２より突出しているボルト３２０の先端を、挿嵌部である貫通孔１００とワッシャー３２３、ワッシャー３２４、そしてボルト３２５により固定する。防雪フード内には一定の空間があるので、ボルト締めの工具によるボルトの締め付作業は容易に行うことができる。なお、ボルト３２０の頂部が防雪フード用アタッチメント３０の表面から突出しないよう、ボルト貫通孔３２１の開口部入り口を漏斗状に成形することが好ましい。
【００２０】
図４は防雪フード１０が、アタッチメント３０を介して室外機２０に固定される様子を示した斜視図である。上述したように、ネジ３１０を貫通孔３１１に貫通させるとともに、ボルト３２０をワッシャー３２１を介して貫通孔３２２に貫通させておく。次に、ネジ３１０を室外機の挿嵌部であるネジ穴２００にねじ込み、防雪フード用アタッチメント３０を室外機２０に固定する。次に、ボルト３２０の先端を防雪フード１０の挿嵌部を構成する貫通孔１００に通し、ワッシャー３２３，３２４を介してナット３２５により固定する。これにより、防雪フード１０と室外機３０とが、防雪フード用アタッチメント３０を介して固定される。
このようにして防雪フード用アタッチメント３０を介して、防雪フード１０と室外機２０とが固着される。ここで、防雪フード１０は標準品（汎用品）であることから、貫通孔１００の位置は常に同じである。これに対し、室外機のネジ穴の位置はメーカや規格・仕様等、室外機の機種により異なるから、貫通孔２００の位置やその形状は機種により異なる。
本考案の一実施形態である防雪フード用アタッチメント３０には、防雪フード用の貫通孔３２２と、室外機用の貫通孔３１１とが設けられている。室外機の機種に適合した位置と形状の貫通孔３１１を備えた防雪フード用アタッチメントを用意することで、防雪フード１０は汎用の防雪フード（標準品）として使えることになる。なお、後述する天板にスライド機構を備えた、寸法可変可能な防雪フードと組み合わせることにより、防雪フード１０はより多くの室外機に対応可能となる。
以下、コ字形状の防雪フード用アタッチメントを一実施例として説明するが、本考案の防雪フード用アタッチメントは、例えばＩ字形状であっても、またＬ字形状などとの組み合わせであっても良い。
【実施例】
【００２１】
図５は本考案の一実施例である防雪フード用アタッチメント４０の斜視図である。防雪フードアタッチメント４０は、コ字形状であり、矩形板状の本体部４４０の上下において、平行に延びる矩形板状の側板部４３０、側板部４３１とからなっている。
側板部４３０には、室外機を固定するために上からネジを差し込む貫通孔４１１ａと、防雪フードを固定するために下からボルトを差し込むための貫通孔４２２とが、複数、所定の間隔で設けられている。側板部４３１には、貫通孔４１１ａから差し込まれたネジを室外機まで貫通させるための貫通孔４１１ｂが所定の間隔で複数設けられている。
図６は防雪フード用アタッチメント４０の上面（図６（ａ））、長手方向断面（図６（ｂ））、下面（図６（ｃ））、短手方向断面（図６（ｄ））を示した図である。図６（ａ）に示すように側板部４３０には、ネジ用の貫通孔４１１ａ、ボルト用の貫通孔４２２が所定の間隔で設けられている。
図６（ｂ）に示すようにネジ用の貫通孔４１１ａから差し込まれるネジは、貫通孔４１１ｂを通して室外機に到達する。また、ボルト用の貫通孔４２２には、コ字形状の空間からボルトが上側方向に差し込まれる。側板部４３１には図６（ｃ）に示すように貫通孔４１１ｂが所定の間隔で設けられている。
図７は防雪フード用アタッチメント４０を室外機２０に取り付ける様子を示した斜視図である。側板部４１１ａからネジ４１０を差し込み、ネジ４１０の先端を貫通孔４１１ｂを通して室外機２０のネジ穴２００に捻り込み、防雪フード用アタッチメント４０と室外機２０とを固着させる。
【００２２】
図８は防雪フード用アタッチメント４０を防雪フードに取り付ける様子を示した斜視図である。コ字形状の空間を利用して、側板部４３０に設けられているボルト用の貫通孔４２２にワッシャー４２１を介して、ボルト４２０を上方向に差し込み、貫通孔１００を通し、ワッシャー４２４，４２５を介してボルト４２３で固定する。
図９は、防雪フードの一実施例であるスライド式の防雪フードの斜視図である。１０（ａ）は、天板１１１と天板１１３が、天板１１２の内側にスライドすることで、防雪フードの幅を調整可能としている。１０（ｂ）は、天板１２１は固定であり、天板１２３が天板１２２の内側にスライドすることで、防雪フード１０ｂの幅を調整可能としている。
【産業上の利用可能性】
【００２３】
本考案によれば、メーカや室外機の品番や型番等、機種に依存しない防雪フードを提供することができる。
【符号の説明】
【００２４】
１  本考案の一実施形態である防雪フードを備えた室外機
１０  本考案の一実施形態である防雪フード
２０  室外機
３０  防雪フード用アタッチメント
４０  本考案の一実施例であるコ字形状の防雪フード用アタッチメント
１００  防雪フードのボルト貫通孔
２００  室外機のネジ挿入穴
３１０  ネジ
３１１  貫通孔
３２０  ボルト
３２１  ３２３  ３２４  ワッシャー
３２２  防雪フード用アタッチメントのボルト貫通穴
３２５  ナット  
【図１】
0003174004.tif 000003
【図２】
0003174004.tif 000004
【図３】
0003174004.tif 000005
【図４】
0003174004.tif 000006
【図５】
0003174004.tif 000007
【図６】
0003174004.tif 000008
【図７】
0003174004.tif 000009
【図８】
0003174004.tif 000010
【図９】
0003174004.tif 000011